(57)【要約】      （修正有）【課題】軽量で、十分な断熱効果や調湿効果や結露防止効果を得られる建築用建材としての調湿部材を提供する。【解決手段】ボード状の断熱材２と、調湿材３と、シート状の被覆材４とを備えている。そして、調湿材３が断熱材２の表面に形成した凹部５に充填される。凹部５が被覆材４によって覆われる。これにより、凹部５の内部に調湿材３が封入されるようにしている。【選択図】図１
0003161583.tif 000002
【実用新案登録請求の範囲】
【請求項１】
ボード状の断熱材と、調湿材と、シート状の被覆材とを備え、前記調湿材が前記断熱材の表面に形成した凹部に充填され、該凹部が前記被覆材によって覆われることにより、前記凹部の内部に調湿材が封入されたことを特徴とする断熱調湿部材。
【請求項２】
前記断熱材が合成樹脂発泡材であり、前記調湿材が無機粒状物であり、前記被覆材が不織布であることを特徴とする請求項１記載の断熱調湿部材。
【請求項３】
前記断熱材が、周縁部の少なくとも一部に弾撥形状部を有することを特徴とする請求項１または請求項２に記載の断熱調湿部材。
【請求項４】
請求項１乃至請求項３のいずれか１項に記載の断熱調湿部材を用いたことを特徴とする建築物。
【考案の詳細な説明】
【技術分野】
【０００１】
本考案は、断熱調湿部材およびこの断熱調湿部材を用いた建築物に関する。
【背景技術】
【０００２】
建築物には、必要に応じて、壁や床や天井などに断熱材が適宜用いられている（例えば、特許文献１〜特許文献３参照）。
【先行技術文献】
【特許文献】
【０００３】
【特許文献１】特開２００４−２８５６１１号公報
【特許文献２】特開２００２−１９１９９号公報
【特許文献３】特開平１１−２５６７０５号公報
【考案の概要】
【考案が解決しようとする課題】
【０００４】
しかしながら、通常の断熱材は、吸湿効果を備えていないため、梅雨時や冬期の暖房時などに結露の発生などを招くおそれがあった。
【０００５】
そのため、特許文献１では、断熱材と調湿材とを積層したり、特許文献２では、断熱材と調湿材とを混合したり、特許文献３では、断熱材と調湿材とを混ぜて容器に詰込んだりして、調湿効果を持たせるようにしている。しかし、これらは、いずれも重量が大きくなったり、構造が複雑になったりするという問題があり、また、断熱効果や調湿効果などが十分ではないという問題があった。
【０００６】
そこで、本考案は、軽量で、十分な断熱効果や調湿効果や結露防止効果を得られる断熱調湿部材などを提供することを目的とする。
【課題を解決するための手段】
【０００７】
上記目的を達成するため、請求項１の考案は、ボード状の断熱材と、調湿材と、シート状の被覆材とを備え、前記調湿材が前記断熱材の表面に形成した凹部に充填され、該凹部が前記被覆材によって覆われることにより、前記凹部の内部に調湿材が封入された断熱調湿部材を特徴とする。
【０００８】
請求項２の考案は、前記断熱材が合成樹脂発泡材であり、前記調湿材が無機粒状物であり、前記被覆材が不織布である断熱調湿部材を特徴としている。
【０００９】
請求項３の考案は、前記断熱材が、周縁部の少なくとも一部に弾撥形状部を有する断熱調湿部材を特徴としている。
【００１０】
請求項４の考案は、上記断熱調湿部材を用いた建築物を特徴とする。
【考案の効果】
【００１１】
請求項１の考案によれば、ボード状の断熱材によって、気密性および断熱効果を得ることができる。また、調湿材によって、調湿効果を得ることができる。
調湿材を、断熱材の表面に形成した凹部の内部に充填することにより、断熱材に対して無理なく調湿材を設置すると共に、断熱材と調湿材との効果をそれぞれ最大限効果的に発揮させることができる。そして、被覆材が断熱材と調湿材とを覆い隠すことにより、建材としての表面意匠を整えると共に、断熱材の凹部に調湿材を保持、封入させることができる。
【００１２】
請求項２の考案によれば、上記構成とすることにより、上記した作用効果をより効果的なものとすることができる。
【００１３】
請求項３の考案によれば、断熱材の周縁部の少なくとも一部に弾撥形状部が設けられるにより、設置箇所に嵌め込んだ断熱調湿部材を弾撥形状部の弾撥力を利用して設置箇所に弾性保持させることができる。
【００１４】
請求項４の考案によれば、上記構成の断熱調湿部材を建築物に用いることにより、建築物に上記した断熱調湿部材が持つ機能を与えることができる。
【図面の簡単な説明】
【００１５】
【図１】本考案にかかる断熱調湿部材の一部破断した斜視図である。
【図２】図１の断熱材を示す（ａ）平面図、（ｂ）正面図、（ｃ）側面図の図である。
【図３】調湿材を充填した断熱材の凹部を示す部分拡大図である。
【図４】図１の断熱調湿部材を用いた建築物の部分拡大断面図である。
【考案を実施するための形態】
【００１６】
以下、本考案を図示の実施形態に基づいて説明する。
【００１７】
＜構成＞まず、構成について説明する。
【００１８】
（１）図１に示すように、この考案にかかる断熱調湿部材１は、ボード状の断熱材２と、調湿材３と、シート状の被覆材４とを備えている。そして、上記した調湿材３は、断熱材２の表面に形成した凹部５の内部に充填される。この凹部５は、被覆材４によって覆われる。これによって、凹部５の内部に調湿材３が封入される。そして、この断熱調湿部材１は、上記した断熱材２と調湿材３と被覆材４とを一体化したものとされる。
【００１９】
ここで、断熱材２は、図２に示すように、平面視矩形状をしている。断熱材２は、建材として必要な気密性と、必要な断熱効果を発揮し得る厚さを有している。また、この断熱材２は、上記した凹部５の形成に必要な強度を確保可能な厚さを有している。
【００２０】
凹部５は、ボード状の断熱材２の一面（表面）に対して、１個、または、それ以上（複数または多数）形成される。特に、凹部５は、断熱材２の表面に対し、適宜分散させて複数個形成するのが好ましい。この場合には、好適な例として、断熱材２の厚みの約半分の深さを有する円筒状の凹部５を、断熱材２の縦方向と横方向とに対し碁盤目状に整然と並べて複数（または多数）形成するようにしている。凹部５は、断熱材２の表面の約半分以上の総面積を有するように形成するのが好ましい。但し、凹部５の形状、大きさ、配置については、目的により、上記以外としても良い。
【００２１】
このような凹部５は、断熱材２を成形する際に使用する型の空間内に凹部５に対応する凸部を設けることによって得ることができる。或いは、ボード状に成形された断熱材２の表面に対して、刻設や、掘削や、溶融切断などにより凹部５を形成することができる。
【００２２】
調湿材３は、図３に示すように、凹部５に対して断熱材２の表面から突出しない程度の分量だけ充填する。なお、調湿材３は、少なくとも、凹部５の深さの半分以上充填するのが好ましい。
【００２３】
被覆材４は、少なくとも、断熱材２の凹部５が形成された表面に対して接着剤などを用いて貼付けるようにする。被覆材４は、全ての凹部５を一度に覆い隠して、全ての調湿材３を同時に封入できるだけの大きさおよび形状のものとするのが好ましい。この場合、例えば、断熱材２の表面の凹部５が形成されている範囲の部分に、被覆材４の厚み程度の深さを有する段差凹部を設け、この段差凹部に被覆材４を取付けて、断熱材２の表面の他の部分と面一にするようにしても良い。
【００２４】
また、被覆材４は、断熱材２の表面だけでなく、断熱材２の裏面に対しても設けるようにしても良い。この場合には、二枚の被覆材４で断熱材２の表面と断熱材２の裏面とをそれぞれ覆うようにすることができる。また、一枚の被覆材４で断熱材２全周を包囲させるようにすることができる。
【００２５】
（２）上記した断熱材２には、合成樹脂発泡材を用いるようにする。また、調湿材３には、無機粒状物を用いるようにする。そして、被覆材４には、不織布を用いるようにする。
【００２６】
ここで、上記した断熱材２としての合成樹脂発泡材には、例えば、断熱効果の高いポリスチレン５０倍発泡体、ポリエチレン発泡体、ポリウレタン発泡体などを好適に用いることができる。
【００２７】
調湿材３としての無機粒状物は、特に、調湿効果の優れた焼成無機多孔材や焼成無機発泡材を使用するのが好ましく、例えば、焼成ゼオライト、焼成パーライト、焼成シリカゲル、または、これらを混合したものなどを好適に用いることができる。
【００２８】
被覆材４としての不織布は、通気性を有している。不織布には、通常のものや、上記した調湿材３の粉体を繊維に練り込んで調湿機能を持たせたものなどを使用することができる。
【００２９】
（３）そして、断熱材２に対し、必要に応じて、周縁部の少なくとも一部に弾撥形状部７を設けるようにする。
【００３０】
ここで、弾撥形状部７は、断熱材２の周縁部の全周（全辺）に対して設けることや、周縁部の少なくとも一辺の少なくとも一部に対して設けることなどが可能である。この場合には、断熱材２の対向する二つ辺部の全域に対してそれぞれ弾撥形状部７を設けるようにしている。
【００３１】
また、弾撥形状部７は、断熱材２の辺部に沿って形成した、断熱材２のほぼ厚み方向の深さを有する溝部とすることができる。この溝部は、断熱材２の表面側または裏面側の少なくとも一方に対して形成することができる。この溝部は、断熱材２の厚み方向の半分程度の深さと、弾性変形代を確保可能な幅とを有するものなどとされる。この場合には、弾撥形状部７の溝部は、断熱材２の表面側と裏面側とのそれぞれに対し、その位置をズラせて、二箇所設けるようにしている（溝部８，９）。なお、溝部は、断熱材２の同一位置に対し、表面側と裏面側とに分けて設けることもできる（溝部８ａ，８ｂ）。
【００３２】
なお、このように弾撥形状部７を設けた場合には、上記した被覆材４は、弾撥形状部７を避けるように取付けるのが好ましい。例えば、被覆材４を、弾撥形状部７が設けられていない残りの二辺部を通って断熱材２の表面と裏面との間を周回するものなどとする。なお、凹部５を上記したような碁盤目状に形成し、弾撥形状部７を避けるように被覆材４を設けた場合には、断熱調湿部材１を、弾撥形状部７が設けられていない残りの二辺部と平行な方向に切断して使用することなども容易となる。
【００３３】
（４）上記断熱調湿部材１を、図４に示すように、建築物１１に用いるようにする。
【００３４】
この断熱調湿部材１は、特に、鉄筋コンクリート造りの建築物１１に対して好適に用いられる。この断熱調湿部材１は、建築物１１の壁や床や天井などの構造面部分１２のいずれに対しても設けることができる。
【００３５】
建築物１１の壁や床や天井などの構造面部分１２に対して上記した断熱調湿部材１を設ける場合、先ず、建築物１１の構造面部分１２に対して断熱調湿部材１の幅寸法とほぼ等しいか、または、僅かに狭い間隔で複数本の木製の下地材１３（或いは、胴縁、根太、垂木など）を平行に取付ける。そして、隣接する木製の下地材１３の側面間に断熱調湿部材１を嵌め込んで、上記した弾撥形状部７で断熱調湿部材１を木製の下地材１３の側面間に弾性保持（或いは弾接保持）させるようにする。
【００３６】
次に、隣接する木製の下地材１３の表面に沿って、調湿性または透湿性を有するプラスターボードなどの面材１４（或いは内装板）を取付ける。木製の下地材１３に対する面材１４の取付けは、釘または木ネジなどの固定具による固定とする。
【００３７】
最後に、この面材１４の表面に、必要に応じて、調湿性や透湿性を有するクロス材１５となどを貼設して表面意匠を構成する。
【００３８】
なお、断熱調湿部材１を、下地材１３の高さと同じ厚みのものとすることにより、被覆材４を面材１４に接触させて、面材１４から直接調湿材３に湿分の吸収を行わせるようにすることができる。或いは、断熱調湿部材１を、下地材１３の高さよりも厚みの少ないものとすることにより、被覆材４と面材１４との間に空間部を形成して、この空間部を介して調湿材３に湿分の吸収を行わせるようにすることができる。
【００３９】
＜作用＞次に、作用効果について説明する。
【００４０】
この考案によれば、以下のような作用効果を得ることができる。
【００４１】
（１）ボード状の断熱材２によって、気密性および断熱効果を得ることができる。また、調湿材３によって、調湿効果を得ることができる。調湿材３を、断熱材２の表面に形成した凹部５の内部に充填することにより、断熱材２に対して無理なく調湿材３を設置すると共に、断熱材２と調湿材３との効果をそれぞれ最大限効果的に発揮させることができる。そして、被覆材４が断熱材２と調湿材３とを覆い隠すことにより、建材としての表面意匠を整えると共に、断熱材２の凹部５に調湿材３を保持、封入させることができる。
【００４２】
より具体的には、上記構成とすることにより、断熱効果と調湿効果との両方を兼ね備えた軽量な断熱調湿部材１を得ることができる。
【００４３】
そして、温度と湿度とは露点に対する影響が高いため、上記した断熱効果と調湿効果との相乗効果により、露点が高くなって、高い結露防止効果を得ることができる。
【００４４】
この高い結露防止効果により、建築物１１の構成材に対する防カビ性や耐食性を向上することができる。
【００４５】
また、高い結露防止効果により、建築物１１の内部空間を快適な湿度に保持して抗菌効果や防カビ効果を得ることができる。
【００４６】
（２）断熱材２に、合成樹脂発泡材を用い、調湿材３に、無機粒状物を用い、被覆材４に、不織布を用いることにより、上記した作用効果をより効果的なものとすることができる。
【００４７】
即ち、断熱材２としての合成樹脂発泡材は、高い断熱効果などを得ることができる。調湿材３としての無機粒状物は、高い調湿効果を得ることができる。被覆材４としての不織布は、意匠的に自由度が高く、また、十分な強度や高い通気性を得ることができる。
【００４８】
（３）断熱材２の周縁部の少なくとも一部に弾撥形状部７が設けられるにより、設置箇所に嵌め込んだ断熱調湿部材１を弾撥形状部７の弾撥力を利用して設置箇所に弾性保持させることができる。断熱材２に対して弾撥形状部７が直接且つ一体的に設けられるので、断熱材２とは別に弾撥形状部７を用意する必要をなくすことができる。または、断熱調湿部材１の固定を容易化し、固定具などを不要化することができる。
【００４９】
（４）上記構成の断熱調湿部材１を建築物１１に用いることにより、建築物１１に上記した断熱調湿部材１が持つ機能（気密性、断熱効果、調湿効果、結露防止効果、抗菌効果、防カビ効果など）を与えることができる。よって、例えば、梅雨時や冬期の暖房時などにおいて、結露の発生などを効果的に防止することができる。
【符号の説明】
【００５０】
１    断熱調湿部材
２    断熱材
３    調湿材
４    被覆材
５    凹部
７    弾撥形状部
１１  建築物
【図１】
0003161583.tif 000003
【図２】
0003161583.tif 000004
【図３】
0003161583.tif 000005
【図４】
0003161583.tif 000006